【手続補正書】
【提出日】平成19年2月13日(2007.2.13)
【手続補正１】
【補正対象書類名】明細書
【補正対象項目名】特許請求の範囲
【補正方法】変更
【補正の内容】
【特許請求の範囲】
【請求項１】  圧縮された音声パケットをある符号励振型線形予測（ＣＥＬＰ）フォーマットから別の符号励振型線形予測フォーマットに変換する装置であって、
出力フォルマント・フィルタ係数を生成するために、入力ＣＥＬＰフォーマットを有し、音声パケットに対応する入力フォルマント・フィルタ係数を出力ＣＥＬＰフォーマットに変換するフォルマントパラメータ変換器；および
出力ピッチおよびコードブックのパラメータを生成するため、入力ＣＥＬＰフォーマットを有し、前記音声パケットに対応する入力ピッチおよびコードブックのパラメータを前記出力ＣＥＬＰフォーマットに変換する励振パラメータ変換器を含み、前記励振パラメータ変換器が：
前記入力フォルマント・フィルタ係数のモデル順序を前記入力ＣＥＬＰフォーマットのモデル順序から前記出力ＣＥＬＰフォーマットのモデル順序に変換するモデル順序変換器；
前記入力フォルマント・フィルタ係数のタイム・ベースを前記入力ＣＥＬＰフォーマットのタイム・ベースから前記出力ＣＥＬＰフォーマットのタイム・ベースに変換するタイム・ベース変換器；
前記入力ピッチおよびコードブックのパラメータおよび前記出力フォルマント・フィルタ係数を用いて標的信号を生成する音声合成器；および
前記標的信号および前記出力フォルマント・フィルタ係数を用いて前記出力コードブックおよびピッチのパラメータのために検索を行う検索器を含む装置。
【請求項２】  前記フォルマントパラメータ変換器が：
前記入力フォルマント・フィルタ係数のモデル順序を前記入力ＣＥＬＰフォーマットのモデル順序から前記出力ＣＥＬＰフォーマットのモデル順序に変換するモデル順序変換器；および
前記入力フォルマント・フィルタ係数のタイム・ベースを前記入力ＣＥＬＰフォーマットのタイム・ベースから前記出力ＣＥＬＰフォーマットのタイム・ベースに変換するタイム・ベース変換器を含む請求項１の装置。
【請求項３】  前記検索器が：
推定励振パラメータおよび前記出力フォルマント・フィルタ係数を用いて推定信号を生成するさらなる音声合成器；
前記推定信号および前記標的信号に基づいて誤差信号を生成する結合器；および
前記誤差信号を最小化するため前記推定励振パラメータを変更する最小化部
を含む請求項１の装置。
【請求項４】  前記モデル順序変換器がさらに：
第三の係数を生成するために前記音声合成器による使用に先立って前記入力フォルマント・フィルタ係数を第三のＣＥＬＰフォーマットに変換するフォルマント・フィルタ係数変換器を含む請求項１の装置。
【請求項５】  前記モデル順序変換器がさらに：
前記入力ＣＥＬＰフォーマットの前記モデル順序が前記出力ＣＥＬＰフォーマットの前記モデル順序より低いとき、順序補正係数を生成するため前記第三の係数を補間する補間器；および
前記入力ＣＥＬＰフォーマットの前記モデル順序が前記出力ＣＥＬＰフォーマットの前記モデル順序より高いとき、前記順序補正係数を生成するため第三の係数を十分の一にするデシメータを含む請求項４の装置。
【請求項６】  前記音声合成器が：
コードブック・ベクトルを生成するため前記入力コードブック・パラメータを使用するコードブック；
ピッチ信号を生成するため前記入力ピッチ・フィルタ・パラメータおよび前記コードブック・ベクトルを用いるピッチ・フィルタ；および
前記標的信号を生成するため前記出力フォルマント・フィルタ係数と前記ピッチ信号を用いるフォルマント・フィルタを含む請求項１の装置。
【請求項７】  前記推定励振パラメータが推定ピッチ・フィルタ・パラメータおよび推定コードブック・パラメータを含み、前記さらなる音声合成器が：
さらなるコードブック・ベクトルを生成するため、前記推定コードブック・パラメータを使用するさらなるコードブック；
さらなるピッチ信号を生成するため、前記推定ピッチ・フィルタ・パラメータおよび前記さらなるコードブック・ベクトルを用いるピッチ・フィルタ；および
前記推定信号を生成するため、前記出力フォルマント・フィルタ係数と前記さらなるピッチ信号を用いるフォルマント・フィルタを含む請求項６の装置。
【請求項８】  前記タイム・ベース変換器による使用の前に、前記入力フォルマント・フィルタ係数を第四のＣＥＬＰフォーマットに変換する第一のフォルマント・フィルタ係数変換器をさらに含む請求項２の装置。
【請求項９】  前記タイム・ベース変換器の出力を前記第四のＣＥＬＰフォーマットから前記出力ＣＥＬＰフォーマットに変換する第二のフォルマント・フィルタ係数変換器をさらに含む請求項２の装置。
【請求項１０】  前記第三のＣＥＬＰフォーマットが反射係数ＣＥＬＰフォーマットである請求項４の装置。
【請求項１１】  前記第四のＣＥＬＰフォーマットが線スペクトル対ＣＥＬＰフォーマットである請求項８の装置。
【請求項１２】  圧縮された音声パケットをある符号励振型線形予測（ＣＥＬＰ）フォーマットから別の符号励振型線形予測フォーマットに変換する方法であって：
（ａ）出力フォルマント・フィルタ係数を生成するために、音声パケットに対応する入力フォルマント・フィルタ係数を入力ＣＥＬＰフォーマットから出力ＣＥＬＰフォーマットに変換し；および
（ｂ）出力ピッチおよびコードブックのパラメータを生成するため、前記音声パケットに対応する入力ピッチおよびコードブックのパラメータを前記入力ＣＥＬＰフォーマットから前記出力ＣＥＬＰフォーマットに変換するステップを含み；ステップ（ｂ）が：
(i)標的信号を生成するため前記入力ＣＥＬＰフォーマット中の前記入力ピッチおよびコードブックのパラメータおよび前記出力フォルマント・フィルタ係数を用いて音声を合成し；および
(ii)前記標的信号および前記出力フォルマント・フィルタ係数を用いて前記出力ピッチおよびコードブックのパラメータについて検索を行うことを含む方法。
【請求項１３】  ステップ（ａ）が：
（i）前記入力フォルマント・フィルタ係数のモデル順序を前記入力ＣＥＬＰフォーマットのモデル順序から前記出力ＣＥＬＰフォーマットのモデル順序に変換し；および
（ii）前記入力フォルマント・フィルタ係数のタイム・ベースを前記入力ＣＥＬＰフォーマットのタイム・ベースから前記出力ＣＥＬＰフォーマットのタイム・ベースに変換するステップを含む請求項１２の方法。
【請求項１４】  ステップ（i）が：
第三の係数を生成するために、前記入力フォルマント・フィルタ係数を前記入力ＣＥＬＰフォーマットから第三のＣＥＬＰフォーマットに変換し；および
順序補正係数を生成するために、前記第三の係数のモデル順序を前記入力ＣＥＬＰフォーマットのモデル順序から前記出力ＣＥＬＰフォーマットのモデル順序に変換するステップを含む請求項１３の方法。
【請求項１５】  ステップ（ii）が：
第四の係数を生成するために、前記順序補正係数を第四のフォーマットに変換し；
タイム・ベース補正係数を生成するために、前記第四の係数のタイム・ベースを前記入力ＣＥＬＰフォーマットのタイム・ベースから前記出力ＣＥＬＰフォーマットのタイム・ベースに変換し；および
前記出力フォルマント・フィルタ係数を生成するために、前記タイム・ベース補正係数を前記第四のフォーマットから前記出力ＣＥＬＰフォーマットに変換するステップを含む請求項１４の方法。
【請求項１６】  前記検索ステップ(ii)が：
推定コードブックおよびピッチのパラメータおよび前記出力係数を用いて推定信号を生成し；
前記推定信号および前記標的信号に基づいて誤差信号を生成し；および
前記誤差信号を最小化するため前記推定コードブックおよびピッチのパラメータを変更するステップを含む請求項１２の方法。
【請求項１７】  ステップ（i）はさらに：
前記入力ＣＥＬＰフォーマットの前記モデル順序が前記出力ＣＥＬＰフォーマットの前記モデル順序より低いとき、前記順序補正係数を生成するため前記第三の係数を補間し；および
前記入力ＣＥＬＰフォーマットの前記モデル順序が前記出力ＣＥＬＰフォーマットの前記モデル順序より高いとき、前記順序補正係数を生成するため前記第三の係数を十分の一にするステップを含む請求項１４の方法。
【請求項１８】  前記第三のＣＥＬＰフォーマットが反射係数ＣＥＬＰフォーマットである請求項１４の方法。
【請求項１９】  前記第四のＣＥＬＰフォーマットが線スペクトル対ＣＥＬＰフォーマットである請求項１５の方法。